(57)【要約】【課題】２つの分離した光学系を備える光ピックアップにおいて、部品点数が少なく、低コストで製造することが可能な光ピックアップを提供する。【解決手段】光ピックアップ１は、第１光学系４と第２光学系５とを有する。第１光学系４の光軸Ａと第２光学系５の光軸Ｂとは、基準面に対して４５度の傾きを有し、両者は平行となっている。第１対物レンズ１７と第２対物レンズ２６とはラジアル方向にほぼ横並びとなっているが、第２対物レンズ２６の中心位置は基準面からタンジェンシャル方向に若干ずれた位置となっている。また、第１光学系４と第２光学系５とは、それぞれ平板状のビームスプリッタ１３、２３を有し、これにより非点収差方式のフォーカスエラー信号を得るための非点収差を発生させている。【選択図】図２
2010165391.tif 000002
【特許請求の範囲】
【請求項１】
第１光源から出射された第１の出射光を光ディスクの情報記録面に導くとともに、前記第１の出射光が前記情報記録面で反射された第１の戻り光を第１受光素子へと導く第１光学系と、
第２光源から出射された第２の出射光を光ディスクの情報記録面に導くとともに、前記第２の出射光が前記情報記録面で反射された第２の戻り光を第２受光素子へと導く第２光学系と、を備える光ピックアップであって、
前記第１光学系には、前記第１の出射光を反射して光軸を前記情報記録面と略直交する方向に変換する第１ミラーと、前記第１ミラーで反射された光を前記情報記録面に集光する第１対物レンズと、前記第１ミラーと前記第１受光素子との間の光路に配置され、前記第１光源から出射された前記第１の出射光を反射して前記第１ミラー側に導くとともに、前記第１ミラーで反射された前記第１の戻り光を透過して前記第１受光素子側へと導く平板状の第１ビームスプリッタと、が含まれ、
前記第２光学系には、前記第２の出射光を反射して光軸を前記情報記録面と略直交する方向に変換する第２ミラーと、前記第２ミラーで反射された光を前記情報記録面に集光する第２対物レンズと、前記第２ミラーと前記第２受光素子との間の光路に配置され、前記第２光源から出射された前記第２の出射光を反射して前記第２ミラー側に導くとともに、前記第２ミラーで反射された前記第２の戻り光を透過して前記第２受光素子側へと導く平板状の第２ビームスプリッタと、が含まれ、
前記第１光源、前記第１ミラー、前記第１ビームスプリッタ、前記第１受光素子、前記第２光源、前記第２ミラー、前記第２ビームスプリッタ、及び前記第２受光素子は同一のベース上に固定配置され、
前記第１ミラーと前記第１ビームスプリッタとの間の光路の光軸である第１の光軸と、前記第２ミラーと前記第２ビームスプリッタとの間の光路の光軸である第２の光軸と、は略平行となっており、
前記光ピックアップの使用時に前記光ピックアップを前記光ディスクに対して移動する移動方向と平行な面であって、前記ベースに対して直交するとともに前記第１対物レンズの中心を通る面を基準面とした場合に、
前記第１の光軸と前記第２の光軸とは、前記ベースを上から見た場合に前記基準面に対して０度より大きく９０度より小さい傾きを有しており、
前記第１対物レンズと前記第２対物レンズとが前記移動方向にほぼ横並びとなっているとともに、前記第２対物レンズの中心位置が、前記基準面から前記基準面と略直交する方向に若干ずれた位置となっていることを特徴とする光ピックアップ。
【請求項２】
前記第１受光素子と前記第２受光素子とは、いずれも田の字型に配列された４つの受光領域を有し、前記第１の光軸及び前記第２の光軸の前記基準面に対する傾きは４５度前後であることを特徴とする請求項１に記載の光ピックアップ。
【請求項３】
前記第１対物レンズと前記第２対物レンズとを保持するレンズホルダと、
前記レンズホルダに一端を固定されるワイヤの他端を支持することにより前記レンズホルダを片持ち支持するサスペンションホルダと、
前記レンズホルダをフォーカス方向及びトラック方向に駆動する駆動手段と、を有する対物レンズアクチュエータを更に備えることを特徴とする請求項１又は２に記載の光ピックアップ。
【請求項４】
前記第１ミラーと前記第２ミラーとは、略直方体形状であることを特徴とする請求項１から３のいずれかに記載の光ピックアップ。
【請求項５】
前記第１ミラーに前記第１の出射光が入射する方向と、前記第２ミラーに前記第２の出射光が入射する方向とは反対の方向であることを特徴とする請求項１から４のいずれかに記載の光ピックアップ。
【請求項６】
前記第１光学系はＢＤに対応する光学系であり、前記第２光学系はＤＶＤ及びＣＤに対応する光学系であることを特徴とする請求項１から５のいずれかに記載の光ピックップ。
【発明の詳細な説明】
【技術分野】
【０００１】
本発明は光ピックアップに関し、より詳細には、光ディスクの種類によって使い分けられる２つの分離した光学系を備える光ピックアップの構成に関する。
【背景技術】
【０００２】
従来、光ディスクの情報を読み取ったり、光ディスクに情報を書き込んだりするために、光ピックアップが使用されている。光ディスクには、例えばコンパクトディスク（ＣＤ）、デジタル多用途ディスク（ＤＶＤ）、ブルーレイディスク（ＢＤ)等、複数種類のものが存在する。このために、利便性等を考慮して、従来の光ピックアップの中には複数種類の光ディスクに対応できるものがある。
【０００３】
そして、複数種類の光ディスクに対応可能な光ピックアップの中には、光ディスクの種類によって使い分けられる２つの分離した光学系を備えるものがある（例えば、特許文献１、２参照）。ここで、各光学系は、それぞれ、光源から出射される光を光ディスクの情報記録面に導くと共に、情報記録面で反射される光を受光素子へと導く機能を果たす。このような光ピックアップの具体例として、一方の光学系がＢＤの情報の読み取り等に使用され、他方の光学系がＤＶＤ及びＣＤの情報の読み取り等に使用されるような光ピックアップがある。
【０００４】
ところで、光ピックアップにおいては、光源から出射される光を光ディスクの情報記録面に集光するための対物レンズは、対物レンズアクチュエータに搭載される。この対物レンズアクチュエータは、搭載される対物レンズを少なくともフォーカス方向及びトラック方向に移動可能とする。ここで、フォーカス方向とは光ディスクの情報記録面と垂直な方向であり、トラック方向とは光ディスクの半径方向（ラジアル方向とも言われる）と平行な方向である。対物レンズをフォーカス方向に移動可能とするのは、対物レンズの焦点位置が常に情報記録面に合うように制御する（フォーカス制御する）ためである。また、対物レンズをトラック方向に移動可能とするのは、対物レンズによって集光された光スポットが、光ディスクのトラックに常に追随するように制御する（トラック制御する）ためである。
【０００５】
２つの分離した光学系を備える光ピックアップの中には、例えば特許文献１、２に示されるように、各光学系が備える対物レンズを１つのレンズホルダに搭載し、１つの対物レンズアクチュエータで２つの対物レンズを移動可能とするものがある。このような構成とした場合、装置の小型化や部品点数の低減等の点で有利である。
【０００６】
２つの対物レンズを１つのレンズホルダに搭載する場合、２つの対物レンズの間隔がなるべく小さくなるように、２つの対物レンズを搭載するのが好ましいとされる。これは、例えばワイヤを用いてレンズホルダを支持するタイプの対物レンズアクチュエータにおいては、レンズホルダに搭載される２つの対物レンズの間隔が大きいと、対物レンズアクチュエータの駆動感度やＤＣチルトといった特性が悪化する場合があり、そのような特性悪化を抑制するためである。
【０００７】
２つの対物レンズの間隔を小さくしようとすると、分離した２つの光学系がそれぞれ備える打ち上げミラーをなるべく近くに配置する必要が生じる。なお、ここでいう打ち上げミラーは、光源から出射された出射光の光軸が光ディスクの情報記録面と垂直となるように光を反射するミラーのことを指している。２つの打ち上げミラーを近づける方策として、従来においては、打ち上げミラーの一部をカットする場合があった。
【先行技術文献】
【特許文献】
【０００８】
【特許文献１】特開２００７−３３４９９０号公報
【特許文献２】特開２００８−５９６５９号公報
【発明の概要】
【発明が解決しようとする課題】
【０００９】
しかし、打ち上げミラーをカットする構成の場合、カット工程が必要となるために打ち上げミラーに要するコストが上昇する。この点、特許文献１においては、ミラーのコストを抑制しながらミラー間の距離を縮め、対物レンズ間の距離を小さく設定できる技術が開示されている。
【００１０】
確かに特許文献１の構成によれば、ミラーのコストを抑制しつつ対物レンズ間の距離を小さく設定できるために有利である。しかし、近年における光ピックアップに対する低コスト化の要求を考えれば、ミラーのコストを抑制するだけでは十分ではなく、更なるコスト削減が望まれるところである。
【００１１】
そこで、本発明の目的は、２つの分離した光学系を備える光ピックアップにおいて、部品点数が少なく、低コストで製造することが可能な光ピックアップを提供することである。
【課題を解決するための手段】
【００１２】
上記目的を達成するために本発明は、第１光源から出射された第１の出射光を光ディスクの情報記録面に導くとともに、前記第１の出射光が前記情報記録面で反射された第１の戻り光を第１受光素子へと導く第１光学系と、第２光源から出射された第２の出射光を光ディスクの情報記録面に導くとともに、前記第２の出射光が前記情報記録面で反射された第２の戻り光を第２受光素子へと導く第２光学系と、を備える光ピックアップであって、前記第１光学系には、前記第１の出射光を反射して光軸を前記情報記録面と略直交する方向に変換する第１ミラーと、前記第１ミラーで反射された光を前記情報記録面に集光する第１対物レンズと、前記第１ミラーと前記第１受光素子との間の光路に配置され、前記第１光源から出射された前記第１の出射光を反射して前記第１ミラー側に導くとともに、前記第１ミラーで反射された前記第１の戻り光を透過して前記第１受光素子側へと導く平板状の第１ビームスプリッタと、が含まれ、前記第２光学系には、前記第２の出射光を反射して光軸を前記情報記録面と略直交する方向に変換する第２ミラーと、前記第２ミラーで反射された光を前記情報記録面に集光する第２対物レンズと、前記第２ミラーと前記第２受光素子との間の光路に配置され、前記第２光源から出射された前記第２の出射光を反射して前記第２ミラー側に導くとともに、前記第２ミラーで反射された前記第２の戻り光を透過して前記第２受光素子側へと導く平板状の第２ビームスプリッタと、が含まれ、前記第１光源、前記第１ミラー、前記第１ビームスプリッタ、前記第１受光素子、前記第２光源、前記第２ミラー、前記第２ビームスプリッタ、及び前記第２受光素子は同一のベース上に固定配置され、前記第１ミラーと前記第１ビームスプリッタとの間の光路の光軸である第１の光軸と、前記第２ミラーと前記第２ビームスプリッタとの間の光路の光軸である第２の光軸と、は略平行となっており、前記光ピックアップの使用時に前記光ピックアップを前記光ディスクに対して移動する移動方向と平行な面であって、前記ベースに対して直交するとともに前記第１対物レンズの中心を通る面を基準面とした場合に、前記第１の光軸と前記第２の光軸とは、前記ベースを上から見た場合に前記基準面に対して０度より大きく９０度より小さい傾きを有しており、前記第１対物レンズと前記第２対物レンズとが前記移動方向にほぼ横並びとなっているとともに、前記第２対物レンズの中心位置が、前記基準面から前記基準面と略直交する方向に若干ずれた位置となっていることを特徴としている。
【００１３】
本構成によれば、第１光学系及び第２光学系において、平板状のビームスプリッタを透過した光を受光素子へと導く構成となっている。この場合、平板状のビームスプリッタによって非点収差方式のフォーカスエラー信号を得るための非点収差を得ることができる。このため、本構成によれば、非点収差を発生させるために従来配置されるシリンドリカルレンズ（センサレンズ）を抹消して部品点数の削減を図れる。また、上記シリンドリカルレンズを抹消できる構成において、第１光学系の光軸と第２光学系の光軸との関係、及び、２つの対物レンズの位置関係について工夫を凝らしている。このため、２つの対物レンズを近づけた場合にも、安価に製造可能な第１ミラーと第２ミラーとの機械的干渉を回避できるようになっている。すなわち、本構成によれば、２つの対物レンズをできるだけ近くに配置する構成を採用する場合においても、低コストで光ピックアップを製造することが可能である。
【００１４】
上記構成の光ピックアップにおいて、前記第１受光素子と前記第２受光素子とは、いずれも田の字型に配列された４つの受光領域を有し、前記第１の光軸及び前記第２の光軸の前記基準面に対する傾きは４５度前後であることとしても良い。ここで、４５度前後とは、３０度以上６０度以下の範囲を指す趣旨である。このように構成することで、良好なフォーカスエラー信号を得やすい。
【００１５】
上記構成の光ピックアップにおいて、前記第１対物レンズと前記第２対物レンズとを保持するレンズホルダと、前記レンズホルダに一端を固定されるワイヤの他端を支持することにより前記レンズホルダを片持ち支持するサスペンションホルダと、前記レンズホルダをフォーカス方向及びトラック方向に駆動する駆動手段と、を有する対物レンズアクチュエータを更に備えることとしても良い。ワイヤを用いてレンズホルダを支持するタイプの対物レンズアクチュエータでは、駆動感度等の向上のために２つの対物レンズを近づけて配置するのが好ましい。上述のように本発明では、低コストで２つの対物レンズを近づけて配置する構成を実現できるので、本構成のような光ピックアップとしても良い。
【００１６】
上記構成の光ピックアップにおいて、前記第１ミラーと前記第２ミラーとは、略直方体形状であるのが好ましい。本構成のようなミラーであれば低コストで製造できるために、光ピックアップの低コスト化に有利である。
【００１７】
上記構成の光ピックアップにおいて、前記第１ミラーに前記第１の出射光が入射する方向と、前記第２ミラーに前記第２の出射光が入射する方向とは反対の方向であることとしても良い。
【００１８】
上記構成の光ピックアップにおいて、前記第１光学系はＢＤに対応する光学系であり、前記第２光学系はＤＶＤ及びＣＤに対応する光学系であることとしても構わない。
【発明の効果】
【００１９】
本発明によると、２つの分離した光学系を備える光ピックアップにおいて、部品点数の削減、及び製造コストの抑制（低コスト化）が可能である。
【図面の簡単な説明】
【００２０】
【図１】本実施形態の光ピックアップの構成を示す概略図
【図２】本実施形態の光ピックアップの光学構成を説明するための図
【図３】本実施形態の光ピックアップが備える対物レンズアクチュエータの構成を示す概略斜視図
【図４】本実施形態の光ピックアップが備える第１受光素子の構成を説明するための図
【図５】２つの対物レンズを対物レンズアクチュエータに搭載する場合の搭載例を示す図
【図６】本実施形態の光ピックアップの光学構成について、その構成の意図を説明するための図
【発明を実施するための形態】
【００２１】
以下、本発明の光ピックアップの実施形態について、図面を参照しながら詳細に説明する。
【００２２】
図１は、本実施形態の光ピックアップの構成を示す概略図で、図１（ａ）は概略平面図、図１（ｂ）は概略側面図である。図１に示すように、本実施形態の光ピックアップ１は、ピックアップベース２と、ピックアップベース２上に搭載される対物レンズアクチュエータ３と、を備える。
【００２３】
光ディスク１０２に記録される情報を読み取る際、光ピックアップ１は光ディスク１０２の半径方向（ラジアル方向）に動かされながら使用される。このため、光ピックアップ１のピックアップベース２の左右には、軸受け部２ａ、２ｂが設けられている。そして、これにより、光ピックアップ１は、ラジアル方向に延びる２本のガイドシャフト１０１に摺動可能に保持される。そして、光ピックアップ１は、光ディスク１０２から情報を読み取る際に、ラジアル方向への移動を可能とされる。
【００２４】
なお、光ピックアップ１の移動は、図示しない公知の移動機構によって行われる。公知の移動機構の一例として、ピックアップベース２に取り付けられラックと、ピックアップベースとは別のベース部材に取り付けられてモータによって回転されるピニオンと、を用いる構成等が挙げられる。
【００２５】
図２は、本実施形態の光ピックアップの光学構成を説明するための図である。図２に示すように、本実施形態の光ピックアップ１は、互いに分離した関係にある、第１光学系４と第２光学系５とを備える。第１光学系４は、ＢＤに記録される情報を読み取るために使用される光学系である。第２光学系５は、ＤＶＤ及びＣＤ（以下、単に、ＤＶＤ／ＣＤと記載する場合がある）に記録される情報を読み取るために使用される光学系である。
【００２６】
第１光学系４は、第１光源１１と、回折素子１２と、第１ビームスプリッタ１３と、第１の１／４波長板１４と、第１コリメートレンズ１５と、第１打ち上げミラー１６と、第１対物レンズ１７と、第１受光素子１８と、を備える。これらのうち、第１対物レンズ１７以外の部材はピックアップベース２上に搭載される。第１対物レンズ１７は、対物レンズアクチュエータ３（図１参照）に搭載される。
【００２７】
第１光源１１はＢＤ用のレーザ光（波長４０５ｎｍ帯のレーザ光）を出射する半導体レーザである。なお、第１光源１１からは直線偏光が出射されるようになっている。第１光源１１から出射されたレーザ光（第１の出射光）は、回折素子１２によって主光と２つの副光とに分けられる。これは、トラック制御を行うために必要なトラックエラー信号を得られるようにするためである。なお、本実施形態の光ピックアップ１においては、ＢＤの情報の読み取りを行う際には、公知の手法であるＤＰＰ（Differential Push-Pull）法を用いてトラックエラー信号を得るように形成されている。回折素子１２から出射したレーザ光は第１ビームスプリッタ１３に送られる。
【００２８】
第１ビームスプリッタ１３は平板状に設けられ、その入射面は第１光源１１から出射される出射光の光軸に対して略４５度の傾きを有するように配置されている。また、第１ビームスプリッタ１３は偏光ビームスプリッタであって、第１光源１１から出射される直線偏光と同じ偏光方向の直線偏光を反射し、第１光源１１から出射される直線偏光に対して偏光方向が９０度回転された直線偏光を透過するように形成されている。このため、回折素子１２から第１ビームスプリッタ１３に送られたレーザ光は、第１ビームスプリッタ１３で反射されることになる。第１ビームスプリッタ１３で反射されたレーザ光は、第１の１／４波長板１４に送られる。
【００２９】
第１の１／４波長板１４は、入射する直線偏光を円偏光に変換するとともに、円偏光を直線偏光に変換する。第１ビームスプリッタ１３から送られて第１の１／４波長板１４を通過したレーザ光は円偏光となって第１コリメートレンズ１５へと送られる。
【００３０】
第１コリメートレンズ１５は、図示しない駆動手段によって光軸方向（図２に示す矢印Ｃの方向）に移動可能となっている。これは、その位置の操作によって、第１コリメートレンズ１５から出射されるレーザ光の収束発散状態を変化させ、第１対物レンズ１７に入射するレーザ光の収束発散状態を変化させるためである。このような構成とする理由は、球面収差の補正を行えるようにするためである。第１コリメートレンズ１５から出射されたレーザ光は第１打ち上げミラー１６へと送られる。
【００３１】
第１打ち上げミラー１６は略直方体形状のミラー部材であり、入射するレーザ光の光軸を光ディスク１０２の情報記録面１０２ａ（図１（ｂ）参照））と略直交する方向（図２においては、紙面と垂直な方向が該当する）に変換する。すなわち、第１打ち上げミラー１６が有する反射面は、第１光源１１から出射されて第１打ち上げミラー１６に入射するレーザ光の光軸に対して略４５度傾いた状態となっている。第１打ち上げミラー１６で反射されたレーザ光は、第１対物レンズ１７へと送られる。
【００３２】
第１対物レンズ１７は、ＢＤ用に設計された対物レンズであり、第１打ち上げミラー１６からのレーザ光を光ディスク１０２の情報記録面１０２ａに集光する。第１対物レンズ１７によって情報記録面１０２ａに集光されたレーザ光は、情報記録面１０２ａで反射される。
【００３３】
情報記録面１０２ａで反射された戻り光（第１の戻り光）は、第１対物レンズ１７を透過し、第１打ち上げミラー１６で反射される。そして、第１コリメートレンズ１５を通過後、第１の１／４波長板１４で直線偏光に変換される。この直線偏光の偏光方向は、第１光源１１から出射された直線偏光の偏光方向を９０度回転した方向である。このため、第１の１／４波長板１４を通過した戻り光は、第１ビームスプリッタ１３を透過する。すなわち、第１ビームスプリッタ１３と第１の１／４波長板１４とは、協働して光アイソレータとして機能する。
【００３４】
ところで、第１ビームスプリッタ１３は上述のように平板状に形成されている。このために、第１ビームスプリッタ１３を透過した戻り光には非点収差が発生する。そして、この非点収差が発生した戻り光が第１受光素子１８へと集光する。なお、本実施形態の光ピックアップ１においては、戻り光が第１ビームスプリッタ１３を通過する際に発生する非点収差を利用して、公知の手法である非点収差法によるフォーカスエラー信号を得る構成となっている。そして、このフォーカスエラー信号によってフォーカス制御が行われる。
【００３５】
第２光学系５は、第２光源２１と、第２の１／４波長板２２と、第２ビームスプリッタ２３と、第２コリメートレンズ２４と、第２打ち上げミラー２５と、第２対物レンズ２６と、第２受光素子２７と、を備える。これらのうち、第２対物レンズ２６以外の部材はピックアップベース２上に搭載される。第２対物レンズ２６は、対物レンズアクチュエータ３（図１参照）に搭載される。
【００３６】
第２光源２１はＤＶＤ用のレーザ光（波長６５０ｎｍ帯のレーザ光）とＣＤ用のレーザ光（波長７８０ｎｍ帯のレーザ光）とを切り換えて出射可能な２波長対応の半導体レーザである。なお、第２光源２１からは直線偏光が出射されるようになっている。第２光源１１から出射されたレーザ光（第２の出射光）は、第２の１／４波長板２２に送られる。
【００３７】
第２の１／４波長板２２は、入射する直線偏光を円偏光に変換する。第２光源２１から出射されて第２の１／４波長板２２を通過したレーザ光は円偏光となって第２ビームスプリッタ２３へと送られる。
【００３８】
第２ビームスプリッタ２３は平板状に設けられ、その入射面は第２光源２１から出射される出射光の光軸に対して略４５度の傾きを有するように配置されている。第２ビームスプリッタ２３は、第２光源２１から出射される出射光の一部を反射し、残りの一部を透過する。第２ビームスプリッタ２３で反射されたレーザ光は、第２コリメートレンズ２４に送られる。
【００３９】
第２コリメートレンズ２４は、入射したレーザ光(発散光)を平行光に変換する平行光変換手段として機能する。第２コリメートレンズ２４から出射されたレーザ光（平行光）は第２打ち上げミラー２５へと送られる。
【００４０】
第２打ち上げミラー２５は略直方体形状のミラー部材であり、入射するレーザ光の光軸を光ディスク１０２の情報記録面１０２ａと略直交する方向（図２においては、紙面と垂直な方向が該当する）に変換する。すなわち、第２打ち上げミラー２５が有する反射面は、第２光源２１から出射されて第２打ち上げミラー２５に入射するレーザ光の光軸に対して略４５度傾いた状態となっている。第２打ち上げミラー２５で反射されたレーザ光は、第２対物レンズ２６へと送られる。
【００４１】
第２対物レンズ２６は、ＤＶＤ及びＣＤに対応するように設計された対物レンズであり、第２打ち上げミラー２５からのレーザ光を光ディスク１０２の情報記録面１０２ａに集光する。第２対物レンズ２６によって情報記録面１０２ａに集光されたレーザ光は、情報記録面１０２ａで反射される。
【００４２】
情報記録面１０２ａで反射された戻り光（第２の戻り光）は、第２対物レンズ２６を透過し、第２打ち上げミラー２５で反射される。そして、第２コリメートレンズ２４を通過後、第２ビームスプリッタ２３に入射する。第２ビームスプリッタ２３を透過した光は、第２受光素子２７に集光される。ところで、第２ビームスプリッタ２３は上述のように平板状に形成されている。このために、第２ビームスプリッタ２３を透過した戻り光には非点収差が発生する。そして、この非点収差が発生した戻り光が第２受光素子２７へと集光される。
【００４３】
なお、本実施形態の光ピックアップ１においては、戻り光が第２ビームスプリッタ２３を通過する際に発生する非点収差を利用して、公知の手法である非点収差法によるフォーカスエラー信号を得る構成となっている。そして、このフォーカスエラー信号により、フォーカス制御が行われる。また、ＤＶＤ／ＣＤに対するトラック制御は、公知の手法であるＤＰＤ（Differential Phase Detection）法によってトラックエラー信号を得る構成となっている。
【００４４】
上述のように、第１対物レンズ１７と第２対物レンズ２６とは、対物レンズアクチュエータ３に搭載される。図３を参照しながら、本実施形態の光ピックアップ１が備える対物レンズアクチュエータ３の構成について説明する。なお、図３は、本実施形態の光ピックアップが備える対物レンズアクチュエータの構成を示す概略斜視図である。
【００４５】
対物レンズアクチュエータ３は、アクトベース３１と、第１対物レンズ１７及び第２対物レンズ２６を保持するレンズホルダ３２と、を備える。アクトベース３１上には、レンズホルダ３２を挟んで対称配置となるように一対の永久磁石３３が立設されている。
【００４６】
レンズホルダ３２には、レンズホルダ３２の内部側壁に沿って略矩形状に巻回されるフォーカスコイル３４と、レンズホルダ３２の外部側壁（永久磁石３３と対向する側壁）の対称位置に、それぞれ２つずつ配置される４つの略矩形状のトラックコイル３５と、が備えられる。また、レンズホルダ３２の４つの側壁のうち、トラックコイル３５が配置されていない２つの側壁には、片側に３本ずつ、両側で計６本となるワイヤ３６の各一端が固定されている。
【００４７】
各ワイヤ３６の他端は、サスペンションホルダ３７によって支持されている。これにより、サスペンションホルダ３７がレンズホルダ３２を片持ち支持する構成となっており、レンズホルダ３２は揺動可能となっている。なお、ワイヤ３６は、フォーカスコイル３４やトラックコイル３５に給電するためにも使用される。
【００４８】
フォーカスコイル３４に電流が供給されると、永久磁石３３によって作られる磁界との電磁気的な作用によって、電流が流れる向き及び電流の大きさに応じてレンズホルダ３２はフォーカス方向に移動する。同様に、トラックコイル３５に電流が供給されると、その向き及び大きさに応じて、レンズホルダ３２はトラック方向に移動する。すなわち、永久磁石３３、フォーカスコイル３４、及びトラックコイル３５は、レンズホルダ３２をフォーカス方向及びトラック方向に駆動する駆動手段を構成している。
【００４９】
ところで、本実施形態の光ピックアップ１は、図２に示すように、ピックアップベース２を上から見た場合に、光軸Ａと光軸Ｂとは略平行であって、いずれの光軸も基準面に対してほぼ４５度傾くように光学系が構成されている。また、第１対物レンズ１７とラジアル方向にほぼ横並びとされる第２対物レンズ２６の中心位置が、基準面からタンジェンシャル方向に若干ずれた（距離ｄだけずれている）構成となっている。このように構成する理由について以下説明する。
【００５０】
なお、光軸Ａは、第１打ち上げミラー１６と第１ビームスプリッタ１３との間の光路の光軸を指している。また、光軸Ｂは、第２打ち上げミラー２５と第２ビームスプリッタ２３との間の光路の光軸を指している。また、基準面は、ラジアル方向と平行な面であって、ピックアップベース２に対して直交するとともに第１対物レンズ１７の中心を通る面のことである。また、タンジェンシャル方向は光ディスク１０２の接線方向のことを指し、ラジアル方向と垂直な方向である。
【００５１】
まず、光軸Ａが基準面に対して４５度傾けられている理由について説明する。上述のように、本実施形態の光ピックアップ１においては、ＢＤ対応の場合、フォーカスエラー信号を非点収差方式で得ることとし、平板状の第１ビームスプリッタ１３を使用することで非点収差を発生させることとしている。
【００５２】
図４に示すように、第１受光素子１８は田の字型に配列された４つの受光領域ａ〜ｄを有するが、この４つの受光領域ａ〜ｄについて、図４に示すように田の字が傾いた状態（破線で示す基準状態から０度より大きく９０度より小さい傾きを有する状態）としてピックアップベース２に配置する必要がある。このような配置としないと、平板状の第１ビームスプリッタ１３を使用して発生させた非点収差によって非点収差方式のフォーカスエラー信号が得られないからである。
【００５３】
なお、図４は、図１の第１受光素子１８を受光面側から見た正面図である。また、田の字を傾けるために回転する大きさは、良好なフォーカスエラー信号を得られるように４５度前後とするのが好ましく、本実施形態では、田の字が４５度傾いた状態としている。ここで、４５度前後とは３０度〜６０度の範囲を指している。また、一応断っておくが、本実施形態では第２受光素子２７も同様の田の字型の４つの受光領域を有し、非点収差方式のフォーカスエラー信号を得られるように田の字が４５度傾いた状態となっている。
【００５４】
一方、上述のように、本実施形態の光ピックアップ１においては、ＢＤ対応の場合、トラックエラー信号をＤＰＰ方式で得ることとしている。この場合、田の字型に配列される４つの受光領域ａ〜ｄを分割する２つの分割線のうち、一方の投影が、光ディスク１０２の情報記録面１０２ａ上においてタンジャンシャル方向と平行になるようにする必要がある。このため、第１光学系４における光軸Ａが基準面に対して４５度傾くようにしている。
【００５５】
なお、上述のように、田の字型の４つの受光領域を回転する大きさは、非点収差方式のフォーカスエラー信号が得られる大きさであれば良く、好ましくは３０度〜６０度である。このため、田の字型の４つの受光領域を回転する大きさは必ずしも４５度でなくても良く、これに合わせて光軸Ａが基準面に対して傾けられる角度も４５度に限定されず、３０度〜６０度が好ましいことになる。
【００５６】
次に、光軸Ａと光軸Ｂとが略平行とされ、第２対物レンズ２６が基準面からタンジェンシャル方向に若干ずれされる理由について説明する。
【００５７】
図５は、２つの対物レンズを対物レンズアクチュエータに搭載する場合の搭載例を示す図である。２つの対物レンズを対物レンズアクチュエータに搭載する場合、２つの対物レンズ３０１、３０２を純粋ラジアル配置（図５（ａ）参照）或いは純粋タンジェンシャル配置（図５（ｂ）参照）でレンズホルダ３００に保持させるのが一般的である。なお、純粋ラジアル配置とは、２つの対物レンズ３０１、３０２の中心を結ぶ線がラジアル（ＲＡＤ）方向と平行となる配置のことを指している。また、純粋タンジェンシャル配置とは、２つの対物レンズ３０１、３０２の中心を結ぶ線がタンジェンシャル（ＴＡＮ）方向と平行となる配置のことを指している。
【００５８】
レンズホルダ３００に対して十分な推力（永久磁石とコイルとの電磁気的作用によって得られる力）を得ようとすると、レンズホルダ３００のラジアル方向の大きさをある程度確保する必要がある。このため、図５に示すように、２つの対物レンズ３０１、３０２をタンジェンシャル配置した場合、ラジアル配置とする場合に比べてレンズホルダ３００が大きくなってしまう。レンズホルダ３００の大型化は、光ピックアップの大型化や、レンズホルダ３００を動かすためのエネルギーの増加等に繋がり不利である。このため、本実施形態の光ピックアップ１では、タンジェンシャル配置を避けることを前提（前提１）としている。
【００５９】
図６は、本実施形態の光ピックアップにおいて、光軸Ａと光軸Ｂとを略平行とし、第２対物レンズ２６の中心位置を基準面からタンジェンシャル方向に若干ずらして配置する理由を説明するための図である。本実施形態のように対物レンズアクチュエータを構成する場合、上述のようにレンズホルダ３２に搭載される２つの対物レンズ１７、２６の間隔が大きいと、対物レンズアクチュエータ３の駆動感度やＤＣチルトといった特性が悪化する。このため、第１対物レンズ１７と第２対物レンズ２６との間隔は狭くする必要がある。
【００６０】
２つの対物レンズ１７、２６の間隔を狭くするためには、第１打ち上げミラー１６のミラー面と第２打ち上げミラー２５のミラー面とを近づける必要がある。ここで、２つのミラー面を近づけるために打ち上げミラーの一部をカットする構成とすると、光ピックアップの製造コストが上昇するために、打ち上げミラーの一部をカットすることは避ける必要がある。このため、本実施形態の光ピックアップ１では、コストアップに繋がる打ち上げミラーのカットは行わないことを前提（前提２）としている。
【００６１】
以上の前提１及び前提２を考慮すると、図６（ａ）に示すように２つの対物レンズ１７、２６を純粋ラジアル配置とし、第１光学系４の光軸Ａと第２光学系５の光軸Ｂとが、いずれも基準面に対して９０度の傾きを有する構成とすることが考えられる。しかし、本実施形態の光ピックアップ１では、平板状のビームスプリッタ１３、２３を用いて非点収差を発生させることで、非点収差を付与するためのシリンドリカルレンズを使用しないで済む構成として低コスト化を図っている。この場合、第１光学系４の光軸Ａと第２光学系５の光軸Ｂとをいずれも基準面に対して０度より大きく９０度より小さい範囲（好ましくは４５度前後）で傾ける必要があるので、図６（ａ）は採用できない。
【００６２】
そこで、図６（ｂ）、図６（ｃ）のように、光軸Ａと光軸Ｂが基準面に対して略４５度傾き、２つの対物レンズ１７、２６を純粋ラジアル配置とする構成が考えられる。しかし、２つの対物レンズ１７、２６の中心間距離を図６（ａ）の場合と同一（例えば４．５ｍｍ）としたままで、上記構成を実現するためには、打ち上げミラー１６、２５同士の機械的干渉を避けるために加工が必要となる（図６（ｂ）参照）。これは、低コスト化のためには好ましくない。また、光路有効範囲を確保するためにミラー面を削れる範囲には制限があり、必要な加工ができない可能性もある。
【００６３】
一方、打ち上げミラー１６、２５の加工を避けようとすると、図６（ｃ）に示すように２つの対物レンズ１７、２６の中心間距離を拡げる必要が生じる。この場合、光ディスク１０２の外周側に配置されることになる対物レンズ（本実施形態では第２対物レンズ２６）について、光ディスク１０２の内周側に十分寄り切れず、光ディスク１０２の内周側の情報を読めない事態が発生する。
【００６４】
そこで、本実施形態に光ピックアップ１においては、図６（ｄ）に示すように、光軸Ａと光軸Ｂがいずれも基準面に対して略４５度傾いた平行状態となるようにしつつ、第２対物レンズ２６を基準面からタンジェンシャル方向に若干ずらした（０．７ｍｍ程度）構成としている。これにより、２つの対物レンズ１７、２６間の間隔を近づけつつ、打ち上げミラー１６、２５を略直方体形状としてコストアップに繋がる加工を避けることができる。
【００６５】
そして、本構成では第２対物レンズ２６を基準面に対して若干ずらすだけなので、レンズホルダ３２のサイズはほとんど大きくする必要がない。なお、第２対物レンズ２６をタンジェンシャル方向に若干ずらすために、トラックエラー信号を得る方式としてＰＰ（Push-Pull）法はやや不利となる。このため、本実施形態ではトラックエラー信号を得る方式としてＤＰＤ法を使用する構成としている。ただし、ＤＰＤ法に限定される趣旨ではなく、ＰＰ法等の１ビーム法を使用してトラックエラー信号を得てもよい。
【００６６】
以上のように、本実施形態の光ピックアップ１によれば、ＢＤ、ＤＶＤ及びＣＤに対応するために、分離した２つの光学系４、５を有する構成において、非点収差を与えるためのレンズ（シリンドリカルレンズ）を抹消でき、打ち上げミラー１６、２５を略直方体形状とできる。そして、打ち上げミラー１６、２５を略直方体形状としたままで、２つの対物レンズ１７、２６を近づけることができ、対物レンズ１７、２６の安定した駆動も可能となる。すなわち、本実施形態の光ピックアップ１は、低コストで製造できるとともに、少なくとも従来の光ピックアップと同等の性能を確保できる。
【００６７】
なお、本発明は以上に示した実施形態の構成に限定されない。すなわち、本発明の目的を逸脱しない範囲で種々の変更が可能である。
【００６８】
例えば、光ピックアップ１の光学構成について本実施形態の構成に限定されず、種々の変更が可能である。例えば、第１光学系４について、第１の１／４波長板１４がない構成としても構わず、第１ビームスプリッタ１３も偏光ビームスプリッタでない構成等としても構わない。また、第２光学系５について、第２の１／４波長板２２がない構成としても構わないし、第２コリメートレンズ２４を無くしてその代わりに第２対物レンズ２６を有限共役型の対物レンズに変更する構成等としても構わない。
【００６９】
また、以上に示した実施形態では、第１光源１１から出射された第１の出射光が第１打ち上げミラー１６へと入射する方向と、第２光源２１から出射された第２の出射光が第２打ち上げミラー２５へと入射する方向と、が逆向きである構成としたが、両者が同じ向きとなる構成としても構わない。
【００７０】
また、以上に示した実施形態では、対物レンズアクチュエータ３の構成として、ワイヤでレンズホルダ３２を支持する構成のものを示したが、対物レンズアクチュエータの構成は本実施形態の構成に限定されないのは言うまでもない。例えば、対物レンズを保持するレンズホルダを支持軸に対して摺動可能とし、これにより対物レンズを動かす対物レンズアクチュエータを備える光ピックアップでも本発明は適用可能である。
【００７１】
また、本発明は、読み取り専用の光ピックアップに限定されず、書き込みにも使用される光ピックアップにも適用可能である。なお、光ピックアップが書き込みにも使用される場合には、ＤＶＤ／ＣＤに対応する場合において、ＤＰＤ方式とは異なる方式(例えばＰＰ法等)でトラックエラーを得る必要がある。
【００７２】
その他、本発明の光ピックアップが情報の読み取りや書き込みを行う対象の光ディスクは、本実施形態で示した光ディスク（ＢＤ、ＤＶＤ、ＣＤ）に限定されないのは言うまでもない。
【産業上の利用可能性】
【００７３】
本発明は、ＢＤ、ＤＶＤ、及びＣＤに対応する光ピックアップに好適に適用される。
【符号の説明】
【００７４】
１  光ピックアップ
２  ピックアップベース
３  対物レンズアクチュエータ
１１  第１光源
１３  第１ビームスプリッタ
１６  第１打ち上げミラー
１７  第１対物レンズ
１８  第１受光素子
２１  第２光源
２３  第２ビームスプリッタ
２５  第２打ち上げミラー
２６  第２対物レンズ
２７  第２受光素子
３２  レンズホルダ
３３  永久磁石（駆動手段の一部）
３４  フォーカスコイル（駆動手段の一部）
３５  トラックコイル（駆動手段の一部）
３６  ワイヤ
３７  サスペンションホルダ
１０２  光ディスク
１０２ａ  情報記録面
【図１】
2010165391.tif 000003
【図２】
2010165391.tif 000004
【図３】
2010165391.tif 000005
【図４】
2010165391.tif 000006
【図５】
2010165391.tif 000007
【図６】
2010165391.tif 000008